(57)【要約】【課題】吸込口体の操作性を向上させる。【解決手段】吸込口を有する吸込口体と、吸込口体に接続され前記吸込口を介して塵埃を吸引する掃除機本体とを備え、前記吸込口体は回転ブラシと、回転ブラシを駆動する駆動モータとを備え、前記回転ブラシは吸込口から露出するローラー状の回転ブラシ本体と、回転ブラシ本体の両端から互いに逆方向に同軸に突出する第１および第２支軸とを備え、第１支軸は回転ブラシ本体内に同軸に固定された第１軸受けを介して回転ブラシ本体に回転可能に設けられ、第２支軸は回転ブラシ本体に固定され、第２支軸の突出部分は前記駆動モータから回転力を受け入れるブラシ駆動ギアと、第２支軸を回転可能に支持する第２軸受けを保持する軸受け保持部と、第１支軸の突出部分の先端および前記軸受け保持部をそれぞれ係止する第１および第２係止部とを備えることを特徴とする電気掃除機。【選択図】図７
2018075187.tif 000002
【特許請求の範囲】
【請求項１】
吸込口を有する吸込口体と、吸込口体に接続され前記吸込口を介して塵埃を吸引する掃除機本体とを備え、前記吸込口体は回転ブラシと、回転ブラシを駆動する駆動モータとを備え、前記回転ブラシは吸込口から露出するローラー状の回転ブラシ本体と、回転ブラシ本体の両端から互いに逆方向に同軸に突出する第１および第２支軸とを備え、第１支軸は回転ブラシ本体内に同軸に固定された第１軸受けを介して回転ブラシ本体に回転可能に設けられ、第２支軸は回転ブラシ本体に固定され、第２支軸の突出部分は前記駆動モータから回転力を受け入れるブラシ駆動ギアと、第２支軸を回転可能に支持する第２軸受けを保持する軸受け保持部と、第１支軸の突出部分の先端および前記軸受け保持部をそれぞれ係止する第１および第２係止部とを備えることを特徴とする電気掃除機。
【請求項２】
前記駆動モータの出力軸に設けられたモータ出力ギアと、モータ出力ギアと前記ブラシ駆動ギアとを結合するタイミングベルトとをさらに備える請求項１記載の電気掃除機。
【請求項３】
第１係止部は、前記先端が第１支軸の軸方向に沿って挿入されるとき、その先端を離脱可能に受け入れる凹部を備え、第２係止部は、前記軸受け保持部が第２支軸の軸と直交する方向から載置されるとき、その軸受け保持部を位置決めして離脱可能に載置する載置部を備え、前記吸込口体は、前記載置部に載置された軸受け保持部を覆って前記載置部に離脱可能に保持するブラシカバー部材を備える請求項１又は２記載の電気掃除機。
【発明の詳細な説明】
【技術分野】
【０００１】
この発明は、電気掃除機に関する。
【背景技術】
【０００２】
この発明の背景技術としては、電動送風機および集塵室を内蔵した掃除機本体と、回転ブラシおよびその駆動モータを有する吸込口体と、吸込口体と掃除機本体を連結する連結部材とを備え、回転ブラシに対応するサイズの吸込口から塵埃を吸引するようにした電気掃除機が知られている（例えば、特許文献１、２参照）。
【先行技術文献】
【特許文献】
【０００３】
【特許文献１】特開２０００−３７３２５号公報
【特許文献２】特開平７−８４１７号公報
【発明の概要】
【発明が解決しようとする課題】
【０００４】
しかしながら、従来のこのような電気掃除機の吸込口体においては、回転ブラシが、吸込口から露出する回転ブラシ本体と、その両側へ突出する支軸とからなり、それらの支軸のいずれもが回転ブラシ本体の外側に設けた軸受けによって支持されるため、吸込口体の幅に対する回転ブラシ本体および吸込口の長さが軸受けの寸法だけ短くなり、吸込口体は壁際や狭隘な場所などを清掃する場合に操作性に欠けるという問題点があった。
【０００５】
この発明はこのような事情を考慮してなされたもので、支軸の軸受けを回転ブラシ本体の内部に設けて吸込口体の幅に対する吸込口の長さを大きくすることにより、吸引作業性を向上させた電気掃除機を提供するものである。
【課題を解決するための手段】
【０００６】
この発明は、吸込口を有する吸込口体と、吸込口体に接続され前記吸込口を介して塵埃を吸引する掃除機本体とを備え、前記吸込口体は回転ブラシと、回転ブラシを駆動する駆動モータとを備え、前記回転ブラシは吸込口から露出するローラー状の回転ブラシ本体と、回転ブラシ本体の両端から互いに逆方向に同軸に突出する第１および第２支軸とを備え、第１支軸は回転ブラシ本体内に同軸に固定された第１軸受けを介して回転ブラシ本体に回転可能に設けられ、第２支軸は回転ブラシ本体に固定され、第２支軸の突出部分は前記駆動モータから回転力を受け入れるブラシ駆動ギアと、第２支軸を回転可能に支持する第２軸受けを保持する軸受け保持部と、第１支軸の突出部分の先端および前記軸受け保持部をそれぞれ係止する第１および第２係止部とを備えることを特徴とする電気掃除機を提供するものである。
【発明の効果】
【０００７】
この発明によれば、第１支軸が回転ブラシ本体の内部に設けられた軸受けを介して回転ブラシ本体を回転可能に支持するので、従来よりも回転ブラシ本体の長さを少なくともその軸受けの長さ分だけ大きくでき、吸込口体の吸引性能を向上させることができる。
【図面の簡単な説明】
【０００８】
【図１】この発明の電気掃除機の第１実施形態を示す外観斜視図である。
【図２】図１に示す電気掃除機の吸込口体の上面図である。
【図３】図２に示す吸込口体の底面図である。
【図４】図２に示す吸込口体の側面図である。
【図５】図３に示す吸込口体のＡ−Ａ矢視断面図である。
【図６】図３に示す吸込口体のＢ−Ｂ矢視断面図である。
【図７】図３に示す吸込口体のＣ−Ｃ矢視断面図である。
【図８】図３に示す吸込口体の回転ブラシの拡大側面図である。
【図９】図３に示す吸込口体の回転ブラシの拡大断面図である。
【図１０】図３に示す吸込口体の回転ブラシの分解斜視図である。
【図１１】図３に示す吸込口体の底面から見た斜視図である。
【図１２】図１０に示す吸込口体の分解斜視図である。
【図１３】図３に示す吸込口体の筐体を示す分解斜視図である。
【図１４】図３に示す吸込口体の底面への起毛布の取り付けを示す説明図である。
【図１５】この発明の電気掃除機の第２実施形態の吸込口体を示す図２対応図である。
【図１６】この発明の電気掃除機の第３実施形態の吸込口体を示す図２対応図である。
【発明を実施するための形態】
【０００９】
この発明の電気掃除機は、吸込口を有する吸込口体と、吸込口体に接続され前記吸込口を介して塵埃を吸引する掃除機本体とを備え、前記吸込口体は回転ブラシと、回転ブラシを駆動する駆動モータとを備え、前記回転ブラシは吸込口から露出するローラー状の回転ブラシ本体と、回転ブラシ本体の両端から互いに逆方向に同軸に突出する第１および第２支軸とを備え、第１支軸は回転ブラシ本体内に同軸に固定された第１軸受けを介して回転ブラシ本体に回転可能に設けられ、第２支軸は回転ブラシ本体に固定され、第２支軸の突出部分は前記駆動モータから回転力を受け入れるブラシ駆動ギアと、第２支軸を回転可能に支持する第２軸受けを保持する軸受け保持部と、第１支軸の突出部分の先端および前記軸受け保持部をそれぞれ係止する第１および第２係止部とを備えることを特徴とする。
【００１０】
前記駆動モータの出力軸に設けられたモータ出力ギアと、モータ出力ギアと前記ブラシ駆動ギアとを結合するタイミングベルトとをさらに備えることが好ましい。
【００１１】
第１係止部は、前記先端が第１支軸の軸方向に沿って挿入されるとき、その先端を離脱可能に受け入れる凹部を備え、第２係止部は、前記軸受け保持部が第２支軸の軸と直交する方向から載置されるとき、その軸受け保持部を位置決めして離脱可能に載置する載置部を備え、前記吸込口体は、前記載置部に載置された軸受け保持部を覆って前記載置部に離脱可能に保持するブラシカバー部材を備えるようにしてもよい。
【００１２】
前記吸込口体は、掃除対象の床面に接する底板部と、底板部に対面する天板部とを備え、天板部は前記回転ブラシ本体の少なくとも第１支軸側の端部が目視可能な透明部材を備えることが好ましい。
【００１３】
また、吸込口を有する吸込口体と、吸込口体に接続され前記吸込口を介して塵埃を吸引する掃除機本体とを備え、吸込口体は掃除対象の床面に接する底板部と、底板部に対面する天板部と、進行方向の前後に位置する前板部及び後板部とを備え、ブラシカバー部材は、前記底板部と後板部との間を底板部に対して鋭角を有してつなぐ傾斜部と、傾斜部の内部に設けられ前記吸込口体に対してブラシカバー部材をロックするロック機構とを備えてもよい。
【００１４】
前記吸込口体は回転ブラシと、回転ブラシを駆動する駆動モータと、回転ブラシと駆動モータの駆動を伝達するタイミングベルトを備え、前記傾斜部の上部に前記タイミングベルトを備えてもよい。
【００１５】
前記傾斜部の外部に設けられ前記ロック機構を開閉操作する手動開閉レバーとを備えてもよい。前記傾斜部は、吸込口体の長手方向の両側に設けてもよい。
また、吸込口を有する吸込口体と、吸込口体に取り付ける起毛布と、吸込口体に接続され前記吸込口を介して塵埃を吸引する掃除機本体とを備え、起毛布は、吸込口体の底面、側面、前面に対して、一つの部品で構成されていてもよい。
【００１６】
以下、図面に示す実施形態を用いてこの発明を詳述する。この実施形態によってこの発明が限定されるものではない。
【００１７】
（第１実施形態）
図１は、この発明の電気掃除機の第１実施形態を示す外観斜視図である。
【００１８】
〈電気掃除機の全体構成〉
図１に示すように、電気掃除機１は、掃除機本体２と、吸込口体４０と、吸込口体４０と掃除機本体２とを気密的に接続する接続管４とを備える。
【００１９】
掃除機本体２は、使用者が手で握るハンドル５と、ハンドル５に設けられ起動・停止スイッチを有する操作部６と、接続管４の基端を受け入れて離脱可能に接続する接続部７を備える。
【００２０】
接続管４の先端には、吸込口体４０の接続パイプ部４２を受け入れて離脱可能に接続する接続部９が設けられている。また、吸込口体４０は、接続パイプ部４２を吸込口体４０に対して、約９０度の角度範囲で前後に揺動させ、かつ、約１８０度の角度範囲で左右に捩じることが可能な関節式の接続軸部４２ｘを備える。
【００２１】
また、接続部９が図２の端部４１ｇに接触することで掃除機本体２の傾斜を制止している。その時に掃除機本体２が、略９０度に位置している状況になっている。その状態から吸込口体４０の長手方向に傾けるとき、端部４１ｇが滑らかな曲線を描いているため、電気掃除機本体２を傾けるときにスムーズに動作を行うことができる。
【００２２】
また、接続パイプ部４２を略９０度傾斜して制止している状態では、接続パイプ部４２と端部４１ｇとが接触して、傷が付くため、接続パイプ４２側の接触部分に凸部４１ｈを設け、傷を目立たなくして、外観を損なわないようにしている。
【００２３】
掃除機本体２は、離脱可能に設置された集塵室（ダストカップ）１１、集塵室１１の下流側に設けられた集塵フィルタ部１２、集塵フィルタ部１２の下流側に設けられた電動送風機１３、掃除機本体２の後部に着脱可能に装填され電動送風機１３および後述する回転ブラシ用モータ４４（図６）に電力を供給するバッテリー１７を備える。
【００２４】
このような構成において、操作部６の起動スイッチが投入されると、電動送風機１３および回転ブラシ用モータ４４が駆動し、塵埃を含む空気が吸込口体４０から接続管４、集塵室１１及び集塵フィルター部１２を介して電動送風機１３によって吸引される。そして、比較的大きい塵埃は集塵室１１に堆積されると共に、細かい塵埃（粉塵）は集塵フィルター部に集積され、浄化された空気は掃除機本体２の側面の排気口から排気される。
【００２５】
〈吸込口体の構成〉
図２は図１に示す電気掃除機の吸込口体の上面図、図３は図２に示す吸込口体の底面図、図４は図２に示す吸込口体の側面図、図５は図３に示す吸込口体のＡ−Ａ矢視断面図、図６は図３に示す吸込口体のＢ−Ｂ矢視断面図、図７は図３に示す吸込口体のＣ−Ｃ矢視断面図、図８は図３に示す吸込口体の回転ブラシの拡大側面図、図９は図３に示す吸込口体の回転ブラシの拡大断面図、図１０は図３に示す吸込口体の斜視図、図１１は図１０に示す吸込口体の分解斜視図である。
【００２６】
これらの図に示すように、吸込口体４０は、底板部４１ａと、底板部４１ａに対面する天板部４１ｂと、進行方向（図２の矢印Ｘ方向）の前後に設けられた前板部４１ｃおよび後板部４１ｄと、天板部４１ｂの上から見て進行方向の左右に設けられた左側板部４１ｅおよび右側板部４１ｆを備える。
【００２７】
吸込口体４０は、図３に示すように、底板部４１ａに設けられ左右方向（矢印Ａ１方向）に伸びる吸込口４１と、吸込口４１の後方に接続軸部４２ｘを介して接続された接続パイプ部４２と、吸込口４１に左右方向に伸びる軸心周りに回転可能に設けられた回転ブラシ４３と、吸込口４１と接続パイプ部４２とを接続する吸引流路１６（図５）と、回転ブラシ４３を駆動する回転ブラシ用モータ４４（図６）と、回転ブラシ４３の図３における左端部を覆うブラシカバー部材８０と、底板部４１ａに設けられた持上げ検知スイッチ４７および車輪５４とを備える。
【００２８】
なお、図６に示すように、回転ブラシ用モータ４４のモータ出力軸４６に固定されたモータ出力ギア５０と、回転ブラシ４３に付設されたギア部５８ｂとは、タイミングベルト４８によって結合されている。
【００２９】
従って、前述のように、操作部６の起動スイッチが投入され、床面の清掃作業が開始されると、回転ブラシ用モータ４４により駆動される回転ブラシ４３によって床面の塵埃が掃き寄せられ、吸込口４１から吸引流路１６と接続パイプを通って集塵室１１（図１）の方へ搬送される。
【００３０】
持上げ検知スイッチ４７は、車輪を有する揺動レバー部と、揺動レバー部を揺動可能に支持するスイッチ本体と、揺動レバー部を下方へ付勢するねじりコイルばねとを有し、スイッチ本体が底板部４１ａに収納された回転ブラシ用モータ駆動回路基板に接続され、揺動レバー部の車輪が底板部４１ａから外部下方へ露出している。
【００３１】
吸込口体４０が持ち上げられて床面から離れると、持上げ検知スイッチ４７が働いて回転ブラシ用モータ４４の駆動を強制的に停止させるようになっている。
【００３２】
＜回転ブラシの構成＞
図８〜図１０に示すように、回転ブラシ４３は、表面に複数のらせん状の畝を有する樹脂製の筒状体５５の各畝にブラシ材５６を放射状に植え付けた回転ブラシ本体４５と、回転ブラシ本体４５の一端に嵌入されるキャップアセンブリ５７と、回転ブラシ本体４５の他端に嵌着されるギアアセンブリ５８とを備える。
【００３３】
キャップアセンブリ５７は、回転ブラシ本体４５の内周に嵌入された有底円筒状で樹脂製の第１キャップ部５７ａと、第１キャップ部５７ａと一体成型され第１キャップ部５７ａの底部から同軸に外側へ伸びる金属製の中心軸部５７ｂと、中心軸部５７ｂにワッシャ６１および第１軸受け６０を介して回転可能に嵌め込まれ、かつ、抜け止め加工された樹脂製の第１支軸５９とを備える。
【００３４】
従って、回転ブラシ本体４５の一端を回転可能に支持する第１軸受け６０は、図９に示すように回転ブラシ本体４５の内部に位置している。
【００３５】
一方、ギアアセンブリ５８は、一端が回転ブラシ本体４５の外縁に嵌着された円柱状で樹脂製の第２キャップ部５８ａと、第２キャップ部５８ａの他端の外周に形成された中空円筒状のギア部５８ｂと、第２キャップ部５８ａと一体成型され第２キャップ部５８ａから同軸に外側へ伸びる金属製の第２支軸６２と、第２支軸６２にワッシャ６５および第２軸受け６４を介して回転可能に嵌め込まれ、かつ、抜け止め加工された樹脂製の支軸保持部材６３とを備える。
【００３６】
そして、図７に示すように、右側板部４１ｆは、第１支軸５９の先端を離脱可能に受け入れる受入れ凹部７０を備え、左側板部４１ｅは、支軸保持部材６３を位置決めして離脱可能に載置する載置部７１を備える。吸込口体４０は、載置部７１に載置された支軸保持部材６３を覆って載置部７１に保持するブラシカバー部材８０（図１０および図１１参照）を備える。
【００３７】
このような構成において、回転ブラシ４３の一端のギア部５８ｂが回転ブラシ用モータ４４（図６）によって駆動されると、その回転力がギア部５８ｂから、第２軸受け６４に支持された第２支軸６２を通じて回転ブラシ本体４５に伝達される。一方、回転ブラシ４３の他端は第１軸受け６０と第１支軸５９を介して凹部７０（図７）に支持されるので、回転ブラシ４３は吸込口体４０に確実に保持され、安定して回転することができる。
【００３８】
この実施形態の回転ブラシ４３は、上記のような構成を有し、吸込口体４０の内部に吸込口４１の位置に対応して設置されるが、右側板部４１ｆ側において第１軸受け６０が回転ブラシ本体４５の内部に設けられるため、回転ブラシ本体４５が右側板部４１ｆへ少なくとも第１軸受け６０の長さ分だけ接近することができる。従って、吸込口体４０の右側板部４１ｆ側を利用することにより、壁際や狭隘な場所での掃除の作業性が向上する。
【００３９】
＜ブラシカバー部材の構成と使用方法＞
図１１および図１２に示すように、ブラシカバー部材８０は、底板部４１ａと後板部４１ｄとの間を底板部４１aに対して鋭角を有してつなぐ傾斜部８１と、傾斜部８１の内部に設けられ吸込口体４０に対してブラシカバー部材８０をロックするロック機構８２と、傾斜部８１の外面に設けられロック機構８２を開閉操作するスライド式の手動開閉レバー８３とを備える。
【００４０】
ブラシカバー部材８０は、主に、回転ブラシ４３の手入れや清掃などのメンテナンス時に取り外される。回転ブラシ４３のメンテナンス時には、先ず安全のため、バッテリー１７を掃除機本体２から取り外し、次に、ブラシカバー部材８０の手動開閉レバー８３を「開」の方向に操作してブラシカバー部材８０を吸込口体４０から取り外す。
【００４１】
次に、回転ブラシ４３の支軸保持部材６３を載置部７１から少し持ち上げ、タイミングベルト４８を回転ブラシ４３のギア部５８ｂから外したのち、回転ブラシ４３の第１支軸５９を右側板部４１ｆの受入れ凹部７０から抜き出し、回転ブラシ４３を吸込口４１から取り出す。
【００４２】
そして、回転ブラシ４３や吸込口４１の周辺を清掃したのち、回転ブラシ４３の第１支軸５９を右側板部４１ｆの受入れ凹部７０（図７）に挿入し、タイミングベルト４８を回転ブラシ４３のギア部５８ｂに装着したのち、支軸保持部材６３を載置部７１（図７）に載置する。
【００４３】
次に、ブラシカバー部材８０のツメ８４（図１１）を吸込口４１の溝（図示せず）に掛けてブラシカバー部材８０を底板部４１ａに取り付け、手動開閉レバー８３を「閉」の方向に操作し、ブラシカバー部材８０を底板部４１に固定する。ブラシカバー部材８０によって支軸保持部材６３が載置部７１に確実に固定され、回転ブラシ４３は安定して回転することができる。
【００４４】
この実施形態のブラシカバー部材８０によれば、手動開閉レバー８３が底板部４１ａと後板部４１ｄとの間を底板部４１aに対して鋭角を有してつなぐ傾斜部８１に設けられるので、手動開閉レバー８３が底板部４１ａや左右側板部から突出することがなく、安全で、かつ、操作性に優れる。
【００４５】
また、傾斜部８１を設けることで、吸込口体４０の底面と床面が接する範囲が少なくなり、吸込口体４０を移動する抵抗が減るので、掃除の作業が容易にできる。
【００４６】
また、吸込口体４０の底面に対し、回転ブラシ用モータ４４の軸（モータ出力軸４６）の位置を回転ブラシ４３の軸（第２支軸６２）の位置より少し上部へ配置することで、両者を水平に配置するときよりも吸込口体４０の短手側の幅を短くでき、吸込口体４０をコンパクトにすることができる。
【００４７】
図１３は吸込口体４０の筐体を示す分解斜視図であり、同図（ａ），（ｂ）はそれぞれ上面および底面から見た斜視図である。これらの図において、底板部４１ａ、上部カバー部４１ｂａ、左側板部４１ｅ、右側板部４１ｆは一体の成型品で構成される。
【００４８】
そして、底板部４１ａと上部カバー部４１ｂａは、吸込口体４０の底面側と上面側の両方の壁面を成す部分を一つの部品で構成しているので、コンパクトにでき、組み立て作業も簡素化できる。この壁面及び左側板部４１ｅ、右側板部４１ｆは、外観を成している面でもある。また、吸込口体が、上側と下側のそれぞれの筐体を組み合わせて構成されるように筐体が分割している場合に比べて、筐体が一体で構成されている方が、筐体の強度の向上が図れる。また、この一体成型された成型品を透明または半透明な材料を使用することで、塵埃の捕集状況を目視により確認することができる。
【００４９】
なお、前板部４１ｃは、吸込口体４０が壁などに当たった場合の衝撃を和らげたり、傷が付くのを防止したりするもので、例えば、軟質性樹脂で作られた別部品で一体の成型品に取り付けすることができる。取り付けは、超音波溶着あるいは爪部を用いて嵌め込みで取り付けてよい。
【００５０】
図１４は吸込口体４０の底面への起毛布の取り付けを示す説明図であり、同図（ａ）と（ｂ）はそれぞれ吸込口体４０に起毛布９２〜９４を取り付ける図と取り付けた後の図である。起毛布９２，９３は、それぞれ吸込口体４０の底面と側面と前面の３面に立体的にまたがる一つの部品で構成されている。また、起毛布９４はブラシカバー部材８０の平面部分に取り付けられる。
起毛布９２、９３の底面は、清掃面の床面などに傷が付くのを防止したり、側面は横壁に当たる際に傷を防止したり、前面は吸込口体４０が段差などを乗り越えるときに衝撃を和らげて、それらに傷が付くのを防止することができる。これらの目的のために、吸込口体４０の底面、側面、前面に対して、起毛布９２、９３を最少の部品、すなわち一つで構成することで、部品点数を減らし、製品コストを抑えることができ、取り付け作業も簡易になる。
【００５１】
また、起毛布９４により吸込口体４０が滑りやすくなり、移動が容易になる。なお、起毛布９２〜９４は、吸込口体４０に接着剤で貼り付けられる。
【００５２】
（第２実施形態）
図１５はこの発明の電気掃除機の第２実施形態の吸込口体を示す図２対応図である。
この実施形態では、図１５に示すように、天板部４１ｂにおいて、回転ブラシ４３の右側板部４１ｆ側の端部、つまり第１支軸５９側の端部が目視可能な透明部９０を備える。
これによって、使用者は透明部９０を目安に回転ブラシ４３が左側板部ｅよりも右側板部４１ｆの近くにあることを認識し、壁際のような掃除対象に合わせて吸込口体４０を使い勝手よく使用することができる。
【００５３】
（第３実施形態）
図１６はこの発明の電気掃除機の第３実施形態を示す図２対応図である。
この実施形態では、図１６に示すように、天板部４１bは、回転ブラシ４３の右側板部４１ｆ側の端部、つまり第１支軸５９側の端部を含んで回転ブラシ４３の全体が目視可能な透明部９１を備える。
【００５４】
これによって、使用者は透明部９１から見える回転ブラシ４３の位置を目安に掃除対象に合わせて吸込口体４０を使い勝手よく使用することができるのみならず、回転ブラシ４３の汚れ状態を観察してメンテナンスの時期を的確に知ることができる。
【符号の説明】
【００５５】
１  電気掃除機、２  掃除機本体、４  接続管、５  ハンドル、６  操作部、７  接続部、９  接続部、１１  集塵室、１２  集塵フィルタ部、１３  電動送風機、１６  吸引流路、１７  バッテリー、４０  吸込口体、４１  吸込口、４１ａ  底板部、４１ｂ  天板部、４１ｃ  前板部、４１ｄ  後板部、４１ｅ  左側板部、４１ｆ  右側板部、４２  接続パイプ部、４２ｘ  接続軸部、４３  回転ブラシ、４４  回転ブラシ用モータ、４５  回転ブラシ本体、４６  モータ出力軸、４７  持上げ検知スイッチ、４８  タイミングベルト、５０  モータ出力ギア、５４  車輪、５５  筒状体、５６  ブラシ材、５７  キャップアセンブリ、５７ａ  第１キャップ部、５７ｂ  中心軸部、５８  ギアアセンブリ、５８ａ  第２キャップ部、５８ｂ  ギア部、  ５９  第１支軸、６０  第１軸受け、６１  ワッシャ、６２  第２支軸、６３  支軸保持部材、６４  第２軸受け、６５  ワッシャ、７０  受入れ凹部、７１  載置部、８０  ブラシカバー部材、８１  傾斜部、８２  ロック機構、８３  手動開閉レバー、８４  ツメ、９０  透明部、９１  透明部
【図１】
2018075187.tif 000003
【図２】
2018075187.tif 000004
【図３】
2018075187.tif 000005
【図４】
2018075187.tif 000006
【図５】
2018075187.tif 000007
【図６】
2018075187.tif 000008
【図７】
2018075187.tif 000009
【図８】
2018075187.tif 000010
【図９】
2018075187.tif 000011
【図１０】
2018075187.tif 000012
【図１１】
2018075187.tif 000013
【図１２】
2018075187.tif 000014
【図１３】
2018075187.tif 000015
【図１４】
2018075187.tif 000016
【図１５】
2018075187.tif 000017
【図１６】
2018075187.tif 000018